(57)【要約】      （修正有）【課題】構造が簡単で、電気的連接操作が便利で、安定的に連接できるＬＥＤライトの直接挿入式エレクトリックコネクターを提供する。【解決手段】エレクトリックコネクターは、メス端プラスチック芯１、メス端２とオス端４を有し、メス端プラスチック芯は、底台１１と頂台１２を有する。底台は、ＬＥＤライトの光源板開孔中に嵌合され、頂台は、光源板上に取り付けられる。メス端プラスチック芯上には、頂台と底台とを貫通する通孔１３を形成する。メス端２は、弾片２２と溶接脚２１とを有する。弾片は、メス端プラスチック芯の通孔中に固定され、溶接脚は、メス端プラスチック芯の外へと伸び出し、ＬＥＤライトの光源板と電気的に連接する。オス端４は、挿入脚４１を有し、ＬＥＤライトの駆動板と電気的に連接する。挿入脚は、通孔に直接挿入され、弾片と接触し、これによりＬＥＤライトの光源板は駆動板と電気的に連接する。  【選択図】図１
0003199544.tif 000002
【実用新案登録請求の範囲】
【請求項１】
ＬＥＤライトの直接挿入式エレクトリックコネクターであって、
メス端プラスチック芯、メス端とオス端を有し、
前記メス端プラスチック芯は、底台と頂台を有し、前記底台は、ＬＥＤライトの光源板開孔中に嵌合され、前記頂台は、ＬＥＤライトの光源板上に取り付けられ、前記メス端プラスチック芯上には、頂台と底台とを貫通する通孔を形成し、
前記メス端は、弾片と溶接脚とを有し、前記弾片は、前記メス端プラスチック芯の通孔中に固定され、前記溶接脚は、前記メス端プラスチック芯外へと伸び出し、ＬＥＤライトの光源板と電気的に連接し、
前記オス端は、挿入脚を有し、前記オス端は、ＬＥＤライトの駆動板と電気的に連接し、
前記挿入脚は、通孔に直接挿入され、前記弾片と接触し、これによりＬＥＤライトの光源板は前記駆動板と電気的に連接することを特徴とするＬＥＤライトの直接挿入式エレクトリックコネクター。
【請求項２】
前記メス端は、前記光源板の上面に完全に位置し、すなわちメス端は、前記メス端プラスチック芯の頂台中に完全に取り付けられ、
前記メス端の溶接脚は、最低位置にあり、前記弾片の高度は溶接脚の上にあり、
これにより、前記弾片は、前記光源板の上面に完全に位置することを特徴とする請求項１に記載のＬＥＤライトの直接挿入式エレクトリックコネクター。
【考案の詳細な説明】
【技術分野】
【０００１】
本考案はＬＥＤライトの直接挿入式エレクトリックコネクターに関する。
【背景技術】
【０００２】
従来の技術において、ＬＥＤライトの電気的連接は、導線を利用して実現されていた。
導線の両端を光源板と駆動板にそれぞれ溶接し、光源板と駆動板とを連接して電気的連接を完成し、光源板上のＬＥＤチップに給電する。
【０００３】
しかしながら、この種の電気的連接操作は非常に面倒で、ＬＥＤライトの組み立てコストを高め、組み立ての自動化実現を阻んでいる。
【考案の概要】
【考案が解決しようとする課題】
【０００４】
前記先行技術の説明で分かるとおり、従来のＬＥＤライトの電気的連接構造は組み立てコストを高め、組み立ての自動化実現を阻んでいるという欠点がある。
【課題を解決するための手段】
【０００５】
本考案は構造が簡単で、電気的連接操作が便利で、且つ安定的に連接できるＬＥＤライトの直接挿入式エレクトリックコネクターに関する。
【０００６】
本考案によるＬＥＤライトの直接挿入式エレクトリックコネクターは、メス端プラスチック芯、メス端とオス端を有する。
該メス端プラスチック芯は、底台と頂台を有する。
該底台は、ＬＥＤライトの光源板開孔中に嵌合され、該頂台は、ＬＥＤライトの光源板上に取り付けられる。
該メス端プラスチック芯上には、頂台と底台とを貫通する通孔を形成する。
該メス端は、弾片と溶接脚とを有する。
該弾片は、該メス端プラスチック芯の通孔中に固定され、該溶接脚は、該メス端プラスチック芯外へと伸び出し、ＬＥＤライトの光源板と電気的に連接する。
該オス端は、挿入脚を有し、該オス端は、ＬＥＤライトの駆動板と、電気的に連接する。
該挿入脚は、通孔に直接挿入され、該弾片と接触し、これによりＬＥＤライトの光源板は該駆動板と電気的に連接する。
【０００７】
本考案によるＬＥＤライトの直接挿入式エレクトリックコネクターにおいて、該メス端は、該光源板の上面に完全に位置し、すなわちメス端は、該メス端プラスチック芯の頂台中に完全に取り付けられる。
該メス端の溶接脚は、最低位置にあり、該弾片の高度は溶接脚の上にある。
これにより、該弾片は、該光源板の上面に完全に位置する。
【０００８】
本考案の実施形態を応用する特徴の一つは、構造が簡単で、直接挿入式のメス端とオス端により導線連接に置換し、ＬＥＤライトの光源板と駆動板との電気的連接構造を簡単にし、連接操作は便利となり、組み立て加工は容易となり、且つ連接はより安定する。
【図面の簡単な説明】
【０００９】
【図１】本考案第一実施形態によるＬＥＤライトの直接挿入式エレクトリックコネクターの立体分解図である。
【図２】本考案第一実施形態によるＬＥＤライトの直接挿入式エレクトリックコネクターの組合せ正視図である。
【図３】本考案第一実施形態によるＬＥＤライトの直接挿入式エレクトリックコネクターの組合せ断面図である。
【図４】本考案第一実施形態によるＬＥＤライトの直接挿入式エレクトリックコネクターをＬＥＤライトに適用する組合せ断面図である。
【図５】本考案第二実施形態によるＬＥＤライトの直接挿入式エレクトリックコネクターの組合せ断面図である。
【考案を実施するための形態】
【００１０】
（一実施形態）
図１〜図５に示すとおり、本考案によるＬＥＤライトの直接挿入式エレクトリックコネクターの二つの実施形態は、メス端プラスチック芯１、メス端２とオス端４により組成される。
【００１１】
メス端プラスチック芯１は、底台１１と頂台１２を有する。
底台１１は、ＬＥＤライトの光源板５開孔５１中に嵌合され、頂台１２は、ＬＥＤライトの光源板５上に取り付けられる。
メス端プラスチック芯１上には、頂台１２と底台１１とを貫通する通孔１３を形成する。
メス端２は、弾片２２と溶接脚２１とを有する。
弾片２２は、メス端プラスチック芯１の通孔１３中に固定され、溶接脚２１は、メス端プラスチック芯１外へと伸び出し、ＬＥＤライトの光源板５と電気的に連接する。
オス端４は、挿入脚４１を有し、オス端４は、ＬＥＤライトの駆動板６と、電気的に連接する。
【００１２】
本考案は、ＬＥＤライト上に運用し、メス端プラスチック芯１とメス端２を、光源板５上に予め取り付け、オス端４を駆動板６上に予め取り付け、さらにオス端４の挿入脚４１をメス端プラスチック芯１の通孔１３にそのまま挿入し、メス端２の弾片２２と接触させる。
直接挿入式により導線連接に置換するため、ＬＥＤライトの光源板と駆動板との電気的連接構造を簡単にし、連接操作は便利となり、組み立て加工は容易となり、且つ連接はより安定する。
【００１３】
取り付け構造をよりコンパクトにするため、メス端２は完全に光源板５の上面に位置し、つまりメス端２は、メス端プラスチック芯１の頂台１２中に完全に取り付けられる（第一実施形態参照）。
本実施形態において、メス端２の溶接脚２１は、最低位置にあり、弾片２２の高度は溶接脚２１の上にある。
【００１４】
これにより、弾片２２は、光源板５の上面に完全に位置し、メス端プラスチック芯１の底台１１の大きさは、弾片２２の体積、弾性距離と挿入脚４１の挿入距離の影響を受けない。
底台１１は、十分に小さく設計することができ、光源板５の開孔５１も、十分に小さく解説することができ、光源板５上の取り付け構造をさらにコンパクトにできる。
こうして、大きさが異なる型番号のＬＥＤライト、特に小型のＬＥＤライト製造に適用でき、応用範囲はより広くなる。
且つ、同様の大きさのＬＥＤライトでは、本考案の取り付け構造はよりコンパクトであるため、光源板５上により多くのＬＥＤ光源をレイアウトでき、大出力のＬＥＤライトの製造に適している。
【００１５】
挿入脚４１の直接挿入の便のため、メス端プラスチック芯１の通孔１３下部は下開口が大きく上開口が小さいラッパ状を呈する。
これにより、挿入脚４１の挿入はよりスムーズとなる。
【００１６】
メス端２の取り付け及び電気的連接の便をはかるため、各メス端２は、２個の対称の金属片により組成される。
各金属片はｎ型を呈し、ｎ型金属片は、メス端プラスチック芯１の頂台１２外壁と通孔１３内壁上に跨いで設置される。
ｎ型金属片の外脚は、外へと水平に湾曲し、溶接脚２１を形成し、光源板５と電気的に連接する。
ｎ型金属片の内脚は、１８０度湾曲し弾片２２を上方へと形成する。
弾片２２の末端は、湾曲して凸点２３を形成する。
２個の対称の金属片の２個の弾片２２と２個の凸点２３は、挿入脚４１とよりよく対応し、電気的連接を形成することができる。
ｎ型金属片の内脚上には、脱落防止逆カギ２４をさらに形成し、これによりメス端２はメス端プラスチック芯１上により堅固に取り付けられる。
【００１７】
オス端４の組み立て定位の便を図るため、駆動板６上には、オス端プラスチック芯３をさらに取り付ける。
オス端プラスチック芯３は、ＬＥＤライトの駆動板６上に固定される。
オス端プラスチック芯３上には、挿入孔３１を形成する。
オス端４の一端には、挿入脚４１を形成し、且つ挿入脚４１は、オス端プラスチック芯３の挿入孔３１中に挿入される。
オス端４の反対端は、ＬＥＤライトの駆動板６と電気的に連接される。
【００１８】
オス端プラスチック芯３の取り付けの便を図るため、オス端プラスチック芯３は、側取り付け柱３２を有する。
側取り付け柱３２は、ＬＥＤライトの駆動板６開孔中に嵌合される。
これにより、オス端プラスチック芯３は、ＬＥＤライトの駆動板６上に固定される。
【００１９】
オス端４の取り付け及び電気的連接の便を図るため、各オス端４はＬ型を呈する。
Ｌ型オス端４の垂直段は挿入脚４１で、挿入脚４１は、オス端プラスチック芯３の挿入孔３１中に挿入され、Ｌ型オス端４の水平段と駆動板６とは、電気的に連接される。
【００２０】
当然、オス端４は針状挿入脚オス端を指す。
オス端４がＰＣＢ板であるなら、オス端プラスチック芯３は不要である。
ＰＣＢ板は、駆動板６とまとめて一体とでき、或いはＰＣＢ板は、駆動板６とそれぞれ電気的に連接することができる。
ＰＣＢ板上には、導電片を有する挿入脚４１を形成することができる。
オス端４は導線でもよく、導線の反対端は、駆動板６と電気的に連接し、一端は挿入脚４１で、弾片２２と対応して、電気的連接を実現する。
【００２１】
前述した本考案の実施形態は本考案を限定するものではなく、よって、本考案により保護される範囲は後述される実用新案登録請求の範囲を基準とする。
【符号の説明】
【００２２】
１    メス端プラスチック芯
１１  底台
１２  頂台
１３  通孔
２    メス端
２１  溶接脚
２２  弾片
２３  凸点
２４  脱落防止逆カギ
３    オス端プラスチック芯
３１  挿入孔
３２  側取り付け柱
４    オス端
４１  挿入脚
５    光源板
５１  開孔
６    駆動板
【図１】
0003199544.tif 000003
【図２】
0003199544.tif 000004
【図３】
0003199544.tif 000005
【図４】
0003199544.tif 000006
【図５】
0003199544.tif 000007